(57)【要約】【課題】ケーブルがケーブルホルダから外れにくくする。【解決手段】ケーブルホルダ２０は、開口部２１ｃを挟む一端２１ａと他端２１ｂとの間を開閉自在に連結することによって環形状となり、内部にケーブル１６を保持するホルダ本体２１と、ホルダ本体２１の一端２１ａ側の端部の外周部から他端２１ｂ側に延出したロック用爪部２２と、ホルダ本体２１の他端２１ｂ側の端部に設けられ、ホルダ本体２１の一端２１ａと他端２１ｂとを閉じたときに、ロック用爪部２２が係合してホルダ本体２１の一端２１ａと他端２１ｂとを連結させた状態を保持する爪受け部２３と、ホルダ本体２１の内周部の一端２１ａ側の端部から他端２１ｂ側に延出し、ホルダ本体２１の一端２１ａと他端２１ｂとを閉じたときに、ホルダ本体２１の他端２１ｂ側の内周部に係合するストッパ２４とを設けた。【選択図】図３
2017127107.tif 000002
【特許請求の範囲】
【請求項１】
開口部を挟む一端と他端との間を開閉自在に連結することによって環形状となり、内部にケーブルを保持するホルダ本体と、
前記ホルダ本体の一端部の外周部から他端側に延出したロック用爪部と、
前記ホルダ本体の他端部の外周部に設けられ、前記ホルダ本体の一端と他端とを閉じたときに、前記ロック用爪部が係合して前記ホルダ本体の一端と他端とを連結させた状態を保持する爪受け部と、
前記ホルダ本体の一端部と他端部の一方の内周部から前記一端部と他端部の他方の内周部に延出し、前記ホルダ本体の一端と他端とを閉じたときに、前記ホルダ本体の前記一端部と他端部の他方の内周部に係合するストッパとを備えたことを特徴とするケーブルホルダ。
【請求項２】
請求項１に記載のケーブルホルダにおいて、
前記ホルダ本体の一端部には前記ロック用爪部を操作する摘み部を設けたことを特徴とするケーブルホルダ。
【発明の詳細な説明】
【技術分野】
【０００１】
本発明は、ケーブルを保持するケーブルホルダに関する。
【背景技術】
【０００２】
従来、背負式ブロワのスロットルケーブルを送風管に沿って保持するケーブルホルダには、図６に示したような一部に開口部を有したＣ形のケーブルホルダが採用されていた。このケーブルホルダは、内部にスロットルケーブル等のケーブルを保持し、ケーブルを送風管に沿わせている。
【発明の概要】
【発明が解決しようとする課題】
【０００３】
上記のケーブルホルダは、Ｃ形をした内部にケーブルを保持しているが、背負式ブロワの送風管を揺動操作しているときに、ケーブルが木の枝等に引っ掛かってケーブルホルダの開口部から離脱して、ケーブルがケーブルホルダから外れることがあった。本発明は、ケーブルがケーブルホルダから外れにくくすることを目的とする。
【課題を解決するための手段】
【０００４】
上記課題を解決するために、本発明は、開口部を挟む一端と他端との間を開閉自在に連結することによって環形状となり、内部にケーブルを保持するホルダ本体と、ホルダ本体の一端部の外周部から他端側に延出したロック用爪部と、ホルダ本体の他端部に設けられ、ホルダ本体の一端と他端とを閉じたときに、ロック用爪部が係合してホルダ本体の一端と他端とを連結させた状態を保持する爪受け部と、ホルダ本体の一端部と他端部の一方の内周部から一端部と他端部の他方の内周部に延出し、ホルダ本体の一端と他端とを閉じたときに、ホルダ本体の一端部と他端部の他方の内周部に係合するストッパとを設けたことを特徴とするケーブルホルダを提供するものである。
【０００５】
上記のように構成したケーブルホルダにおいては、ロック用爪部を爪受け部に係合させることでホルダ本体の一端と他端とを連結して閉じたときに、ホルダ本体の内周部の一端部と他端部の一方から他方に延びたストッパがホルダ本体の内周部の一端部と他端部の他方に係合しているため、ホルダ本体の内部に保持したケーブルがホルダ本体の一端と他端との間に押しつけられても、ケーブルがストッパに当たることによってホルダ本体の一端と他端と間を通過して離脱しないようになった。
【０００６】
上記のように構成したケーブルホルダにおいては、ホルダ本体の一端部にはロック用爪部を操作する摘み部を設けるのが好ましく、このようにしたときには、ロック用爪部を爪受け部に係合または離脱させるのを容易とすることができた。
【図面の簡単な説明】
【０００７】
【図１】本発明のケーブルホルダを採用した背負式ブロワの斜視図である。
【図２】送風管の真直部と蛇腹部との接続部分の長手方向に沿った断面図（ａ）、（ａ）のＡ−Ａ断面図（ｂ）、帯板状のクランプを用いたときの（ｂ）に相当する断面図（ｃ９である。
【図３】閉じた状態のケーブルホルダの左側面図（ａ）、正面図（ｂ）及び右側面図（ｃ）である。
【図４】開いた状態のケーブルホルダの左側面図（ａ）、正面図（ｂ）及び右側面図（ｃ）である。
【図５】図３のＢ−Ｂ断面図である。
【図６】従来のケーブルホルダを示す図である。
【発明を実施するための最良の形態】
【０００８】
以下、本発明のケーブルホルダの一実施形態について図面を参照して説明する。図１は本発明のケーブルホルダが採用される背負式ブロワ１０の斜視図であり、この背負式ブロワ１０は送風ユニット１１の送風ダクト１２に空気を噴出させる送風管１３が連通接続されている。図２（ａ）に示したように、送風管１３のフレキシブル部１３ａと真直部１３ｂとを回転自在に接続する連結管１３ｃの外周部には、フレキシブル部１３ａとの間に弾性材を用いた環状の緩衝材１３ｄが設けられている。図２（ａ）、（ｂ）に示したように、フレキシブル部１３ａの外周部にはクランプ１３ｅが設けられており、このクランプ１３ｅはフレキシブル部１３ａの外周部を締め付けることでフレキシブル部１３ａに連結管１３ｃを固定するものである。クランプ１３ｅは図２（ｂ）に示したように、Ｃ形をした締付部１３ｅ１の両端部の固定部１３ｅ２をねじによって固定するものである。このクランプ１３ｅは、両端部の固定部１３ｅ２が互いに着座したときに、締付部１３ｅ１が緩衝材１３ｄを過剰に潰さない径となっている。なお、図２（ｃ）に示したように、帯板をフレキシブル部１３ａの外周部に巻き付けた状態で締め付けるクランプ１３ｅを採用してもよく、帯板のクランプ１３ｅの長手方向に複数形成した締結用の孔部１３ｅ３は緩衝材１３ｄを過剰に潰さないような位置に限定して設けるようにしている。
【０００９】
送風管１３には操作グリップ１４が設けられており、操作グリップ１４には送風ユニット１１の駆動源であるエンジンの出力を操作するトリガスイッチ１５が設けられている。操作グリップ１４のトリガスイッチ１５と送風ユニット１１のエンジンとの間にはトリガスイッチ１５の操作をエンジンに伝達するスロットルケーブル（スロットルワイヤ）とストップケーブル（ストップスイッチの配線）等のケーブル１６が設けられており、スロットルワイヤやストップケーブル等のケーブル１６は蛇腹状の保護管１７に収容されている。送風管１３にはスロットルワイヤとストップケーブル等のケーブル１６を収容した蛇腹状の保護管１７を保持するケーブルホルダ２０が設けられている。
【００１０】
図３及び図４に示したように、ケーブルホルダ２０は、略Ｃ形をしたホルダ本体２１と、ホルダ本体２１の外周部に設けたロック用爪部２２と爪受け部２３と、ホルダ本体２１の内周部に設けたストッパ２４と、ロック用爪部２２を操作するロック用摘み部２５と解除用摘み部２６とを備え、これらを樹脂材により一体的に成形したものである。
【００１１】
ホルダ本体２１は一端２１ａと他端２１ｂとの間に開口部２１ｃが形成された略Ｃ形をしている。ホルダ本体２１に外力を付与してないときには、図４に示したように、ホルダ本体２１の一端２１ａと他端２１ｂとが離間してこれらの間に開口部２１ｃが形成されている。ホルダ本体２１の一端２１ａと他端２１ｂとが近づくように外力を付与すると、図３に示したように、ホルダ本体２１の一端２１ａと他端２１ｂとが閉じられて環形状となる。
【００１２】
ホルダ本体２１の一端２１ａ側の端部（一端部）の外周部にはロック用爪部２２が設けられており、ロック用爪部２２は一端２１ａ側の端部の外周面から他端２１ｂ側に延出している。ホルダ本体２１の他端２１ｂ側の端部（他端部）の外周部には爪受け部２３が設けられており、爪受け部２３にはロック用爪部２２が係合可能となっている。ホルダ本体２１の一端２１ａと他端２１ｂとの間を閉じたときに、ロック用爪部２２は一端２１ａと他端２１ｂとを跨いで他端２１ｂ側の端部の爪受け部２３に係合され、ホルダ本体２１は一端２１ａと他端２１ｂとを連結した状態で保持される。
【００１３】
図３〜図５に示したように、ホルダ本体２１の一端２１ａ側の端部（一端部）の内周部にはストッパ２４が設けられており、ストッパ２４はホルダ本体２１の他端２１ｂ側に延出している。ストッパ２４はホルダ本体２１の内部の保護管１７（ケーブル１６）が一端２１ａと他端２１ｂとの間から外側に離脱するのを防ぐためのものである。ホルダ本体２１の一端２１ａと他端２１ｂとの間を閉じたときに、ストッパ２４はホルダ本体２１の一端２１ａと他端２１ｂとの間を跨いでホルダ本体２１の他端２１ｂの端部（他端部）の内周部に係合している。
【００１４】
ホルダ本体２１の上部に設けたロック用摘み部２５はロック用爪部２２を爪受け部２３に係合させるのに用いられるものである。ロック用摘み部２５を下側に押すと、ホルダ本体２１の一端２１ａと他端２１ｂとが閉じられ、ロック用爪部２２が爪受け部２３に係合される。ホルダ本体２１のロック用摘み部２５より下側に設けられた解除用摘み部２６はロック用爪部２２を爪受け部２３から離脱させるのに用いられるものである。ロック用摘み部２５と解除用摘み部２６との両方を抓んで、解除用摘み部２６を上側に持ち上げると、ロック用爪部２２が爪受け部２３から離脱して、ホルダ本体２１の一端２１ａは弾性力によって他端２１ｂから離れる。
【００１５】
上記のように構成したケーブルホルダ２０においては、ロック用爪部２２を爪受け部２３に係合させることでホルダ本体２１の一端２１ａと他端２１ｂとを連結して閉じたときに、ホルダ本体２１の一端２１ａ側の端部（一端部）の内周部から他端２１ｂ側に延びたストッパ２４がホルダ本体２１の他端２１ｂ側の端部（他端部）の内周部に係合している。これにより、ホルダ本体２１の内部に保持したケーブル１６を覆う保護管１７（ケーブル１６）が引っ掛かって、保護管１７（ケーブル１６）がホルダ本体２１の一端２１ａと他端２１ｂとの間に押しつけられても、保護管１７がストッパ２４に当たることによってホルダ本体２１の一端２１ａと他端２１ｂとの間を通過して離脱しないようになった。
【００１６】
上記のように構成したケーブルホルダ２０においては、ホルダ本体２１の一端２１ａ側の端部（一端部）の内周部に他端２１ｂ側に延びるストッパ２４を設けたが、本発明はこれに限られるものでなく、ホルダ本体２１の他端２１ｂ側の端部（他端部）の内周部に一端２１ａ側に延びたストッパ２４を設け、ストッパ２４をホルダ本体２１の一端２１ａ側の端部（一端部）の内周部に係合させたものであってもよく、このようにしたときにも、上述した作用効果を得ることができる。
【００１７】
上記の実施形態はケーブルホルダ２０を背負式ブロワ１０のスロットルケーブル等のケーブル１６を保持するのに用いたが、本発明はこれに限られるものでなく、刈払機等の他の作業機にも適用されるものである。
【符号の説明】
【００１８】
２０…ケーブルホルダ、２１…ホルダ本体、２１ａ…一端、２１ｂ…他端、２１ｃ…開口部、２２…ロック用爪部、２３…爪受け部、２４…ストッパ、２５…摘み部（ロック用摘み部）２６…摘み部（解除用摘み部）。
【図１】
2017127107.tif 000003
【図２】
2017127107.tif 000004
【図３】
2017127107.tif 000005
【図４】
2017127107.tif 000006
【図５】
2017127107.tif 000007
【図６】
2017127107.tif 000008